【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
患者に関する一組の過去のレスキュー吸入器利用イベントにアクセスするステップであって、前記一組の過去のレスキュー吸入器利用イベントは、レスキュー吸入器ユニットに取り外し可能に取り付けられ、前記レスキュー吸入器ユニットの薬利用を監視するよう構成された薬剤デバイスセンサによって記録され、過去のレスキュー吸入器利用イベントは、前記レスキュー吸入器ユニットが、レスキュー薬を前記患者に投薬したときに記録される、ステップと、
前記アクセスされた一組の過去のレスキュー吸入器利用イベントに基づいて、前記患者のための患者固有のベースラインリスクしきい値を決定するステップであって、前記患者固有のベースラインリスクしきい値は、当日に先行する時間期間内に生じた前記過去のレスキュー吸入器利用イベントの割合を表す値に基づいて計算される、ステップと、
トリガ条件に応じて、
喘息リスクを予測するためのモデルのための一組のパラメータ値にアクセスするステップと、
前記当日についての一組の入力値にアクセスするステップであって、前記一組の入力値は、少なくとも１つの過去の患者パラメータ、少なくとも１つの環境条件パラメータ、および少なくとも１つの現在の患者パラメータを含む、ステップと、
前記一組のパラメータ値、前記一組の入力値、および前記患者固有のベースラインリスクしきい値を、前記患者が前記当日の間にレスキュー利用イベントを経験する可能性を表すリスクスコアを決定するための関数に入力するステップであって、前記関数は、
前記一組の入力値に基づいて前記当日についてのレスキュー利用イベントの予想カウントを決定するように、および、
前記当日についての前記レスキュー利用イベントの予想カウントと前記患者固有のベースラインリスクしきい値の比較に基づいて前記リスクスコアを決定するように、
トレーニングされる、ステップと、
コンピュータ装置上で提示するために、前記リスクスコアと、前記患者に対して増加した投薬を投薬するための更新されたアドヒアランス計画とに基づいて、前記レスキュー吸入器によって投薬されるレスキュー薬の投薬を増加させる推奨を含む通知を生成するステップと、
前記レスキュー呼吸器ユニットが、前記更新されたアドヒアランス計画に従って、前記患者に対して前記増加した投薬でレスキュー薬を投薬するよう作動されたことの確認を前記薬剤装置センサから受信するステップと、
を含む、方法。
【請求項２】
前記一組の過去のレスキュー吸入器利用イベントを前記薬剤デバイスセンサに通信可能に結合されたクライアントデバイス、前記レスキュー吸入器ユニットに結合されたアタッチメント、または前記レスキュー吸入器ユニットから受信するステップ
をさらに含む、請求項1に記載の方法。
【請求項３】
前記患者固有のベースラインリスクしきい値は、前の期間に基づいて決定され、前記前の期間は、前記当日に先行する時間の窓からのイベントを含む、請求項1に記載の方法。
【請求項４】
前記患者固有のベースラインリスクしきい値は、前記前の期間中に記録された前記レスキュー利用イベントの総和の割合として決定される、請求項3に記載の方法。
【請求項５】
前記患者固有のベースラインリスクしきい値は周期的に決定される、請求項1に記載の方法。
【請求項６】
前記トリガ条件は、前記クライアントデバイスの物理的位置のしきい値変更を含む、請求項1に記載の方法。
【請求項７】
前記トリガ条件は、時間間隔の周期的結論を含む、請求項1に記載の方法。
【請求項８】
前記トリガ条件は、過去の患者パラメータ、環境条件パラメータ、および現在の患者パラメータのうちの少なくとも1つの入力値のしきい値変更を含む、請求項1に記載の方法。
【請求項９】
前記トリガ条件は、前記レスキュー吸入器ユニットに取り外し可能に取り付けられた前記薬剤デバイスセンサによって検出される現在のレスキュー吸入器利用イベントを含み、前記レスキュー吸入器ユニットは、前記現在のレスキュー吸入器利用イベントに応じて前記レスキュー薬を前記患者に投薬する、請求項1に記載の方法。
【請求項１０】
前記一組のパラメータ値の各パラメータ値は、ブーストされた勾配モデルを用いて決定される、請求項1に記載の方法。
【請求項１１】
前記リスクスコアは、前記患者固有のベースラインリスクしきい値を超える前記当日のレスキュー利用イベントの数を前記患者が経験することになる可能性を表す数値である、請求項1に記載の方法。
【請求項１２】
前記パラメータは、少なくとも1つの過去の患者パラメータを含み、
過去の患者パラメータは、
レスキュー利用イベントの累積患者履歴、
夜間に発生するレスキュー利用イベントの患者履歴、
前記患者が前記レスキュー吸入器ユニットを使用する日の累積カウント、
疾患タイプ、および
アドヒアランス記録
をさらに含む、請求項1に記載の方法。
【請求項１３】
前記パラメータは、少なくとも1つの現在の患者パラメータを含み、
現在の患者パラメータは、
前記クライアントデバイスの現在の経度および緯度位置、
現在の位置、
現在の日付、および
前記レスキューイベントに対して服用され、処方されたレスキューパフの数の差異
をさらに含む、
請求項1に記載の方法。
【請求項１４】
前記パラメータは、少なくとも1つの大気汚染物質パラメータを含み、
前記大気汚染物質パラメータは、
オゾン分子(O3)、
二酸化窒素分子(NO2)、
二酸化硫黄分子(SO2)、
2.5マイクロメートル以下の粒子物質(PM2.5)、
1マイクロメートル以下の粒子物質(PM1.0)、および
大気質指数(AQI)
をさらに含む、
請求項1に記載の方法。
【請求項１５】
前記パラメータは、少なくとも1つの気象パラメータを含み、
前記気象パラメータは、
温度、
湿度、
風速、
風向、
現地気圧、および
視程
をさらに含む、請求項1に記載の方法。
【請求項１６】
前記パラメータは、
温度、
相対湿度、
風速パラメータ、
二酸化窒素(NO2)、
二酸化硫黄(SO2)、
2.5マイクロメートル以下の粒子物質(PM2.5)、および
1マイクロメートル以下の粒子物質(PM1.0)
のうち１つ又は複数を含む、請求項1に記載の方法。
【請求項１７】
前記パラメータは、レスキュー吸入器利用イベントが、前記レスキュー吸入器ユニットに結合されたコンピューティングシステムによって監視される日数を含む、請求項1に記載の方法。
【請求項１８】
前記関数は、所与の日に対するレスキュー吸入器利用イベントのカウントが前記しきい値を超えるかどうかを決定する、請求項1に記載の方法。
【請求項１９】
前記リスク通知は、前記患者固有のベースラインリスクしきい値が決定された後において提示される、請求項1に記載の方法。
【請求項２０】
前記リスク通知は、前記トリガ条件に関する情報コンテンツを含む、請求項1に記載の方法。
【請求項２１】
前記リスク通知は、
前記レスキュー利用イベント、
前記患者固有のベースラインリスクしきい値、および
前記リスクスコアに基づくリスク分類
のうちの少なくとも1つに関する情報コンテンツを含む、請求項1に記載の方法。
【請求項２２】
前記リスク通知は、先行する時間期間と比較したリスク分類の変更の原因となるパラメータのサブセットをさらに含む情報コンテンツをさらに含む、請求項1に記載の方法。
【請求項２３】
前記リスク通知は、リスク分類の前記変更の原因となるパラメータのサブセットによって生ずる将来のレスキュー吸入器イベントをどのように防ぐかに関する推奨をさらに含む情報コンテンツをさらに含む、請求項1に記載の方法。
【請求項２４】
コンピュータプログラム命令を備えた非一時的コンピュータ可読記憶媒体であって、前記命令は、コンピュータプロセッサによって実行されると、前記プロセッサに、
患者に関する一組の過去のレスキュー利用イベントにアクセスすることであって、前記一組の過去のレスキュー吸入器利用イベントは、レスキュー吸入器ユニットに取り外し可能に取り付けられ、前記レスキュー吸入器ユニットの薬利用を監視するよう構成された薬剤デバイスセンサによって記録され、過去のレスキュー吸入器利用イベントは、前記レスキュー吸入器ユニットが、レスキュー薬を前記患者に投薬したときに記録される、ことと、
前記アクセスされた一組の過去のレスキュー吸入器利用イベントに基づいて、前記患者のための患者固有のベースラインリスクしきい値を決定することであって、前記患者固有のベースラインリスクしきい値は、当日に先行する時間期間内に生じた前記過去のレスキュー吸入器利用イベントの割合を表す値に基づいて計算される、ことと、
トリガ条件に応じて、
喘息リスクを予測するためのモデルのための一組のパラメータ値にアクセスすることと、
前記当日についての一組の入力値にアクセスすることであって、前記一組の入力値は、少なくとも１つの過去の患者パラメータ、少なくとも１つの環境条件パラメータ、および少なくとも１つの現在の患者パラメータを含む、ことと、
前記一組のパラメータ値、前記一組の入力値、および前記患者固有のベースラインリスクしきい値を、前記患者が前記当日の間にレスキュー利用イベントを経験する可能性を表すリスクスコアを決定するための関数に入力することであって、前記関数は、
前記一組の入力値に基づいて前記当日についてのレスキュー利用イベントの予想カウントを決定するように、および、
前記当日についての前記レスキュー利用イベントの予想カウントと前記患者固有のベースラインリスクしきい値の比較に基づいて前記リスクスコアを決定するように、
トレーニングされる、ことと、
コンピュータ装置上で提示するために、前記リスクスコアと、前記患者に対して増加した投薬を投薬するための更新されたアドヒアランス計画とに基づいて、前記レスキュー吸入器によって投薬されるレスキュー薬の投薬を増加させる推奨を含む通知を生成することと、
前記レスキュー呼吸器ユニットが、前記更新されたアドヒアランス計画に従って、前記患者に対して前記増加した投薬でレスキュー薬を投薬するよう作動されたことの確認を前記薬剤装置センサから受信することと、を行わせる、非一時的コンピュータ可読記憶媒体。